(57)【要約】【課題】通常の機械的な接続方式のコネクタを用い、電子機器の収納姿勢にあわせて容易に接続できるスタンド装置を提供する。【解決手段】(a) のようにカメラ１の裏面を上にして寝かせ、表示装置５を回動させて表示面５−１を上に向けた状態とし、スタンド装置２２の回動部２７を回動させて(b) のようにスタンド接続部２８の上に接続禁止部材２９が位置するように設定し破線のようにカメラ１をスタンド装置２２に装着すると接続禁止部材２９の先端がカメラ本体２の段差部２−１に入り込むと共にスタンド接続部２８がカメラ接続部１２に連結される。(c) のように表示装置５を畳んでカメラ１の正面を上に向けて寝かせた状態とし、スタンド装置２２の回動部２７を回動させて(d) のようにスタンド接続部２８の下に接続禁止部材２９が位置するように設定し破線のようにカメラ１をスタンド装置２２に装着すると接続禁止部材２９の先端がこの場合もカメラ本体２の段差部２−１に入り込むと共にスタンド接続部２８がカメラ接続部１２に連結される。【選択図】      図６
2005323260.tif 000002
【特許請求の範囲】
【請求項１】
電子機器を収納し該電子機器と電気的に接続されるスタンド装置であって、
前記電子機器を異なる２つ以上の向きで収納する収納部と、
前記電子機器の接続部と電気的に接続されるスタンド接続部を備えたスタンド本体と、
前記収納部に前記電子機器が収納される向きに応じて前記接続部の位置を変位させる変位手段と、
を備えたことを特徴とするスタンド装置。
【請求項２】
前記収納部は、前記電子機器を該電子機器の表裏いずれの向きでも収納する、ことを特徴とする請求項１記載のスタンド装置。
【請求項３】
前記変位手段は、前記スタンド本体に設けられ、前記スタンド接続部の位置を変位させるための回動部を有し、
前記スタンド接続部は、前記回動部の回動面の回動中心から半径方向にずれた位置に設けられ、前記収納部に収納された向きに応じて前記収納部内での位置が異なる前記電子機器の接続部に対応して前記回動部の回動により２つの位置に置き換わる、
ことを特徴とする請求項２記載のスタンド装置。
【請求項４】
前記スタンド接続部は、前記回動部の略１８０°の回動によって前記２つの位置を一方の位置から他方の位置に変位する、ことを特徴とする請求項３記載のスタンド装置。
【請求項５】
前記回動面において前記スタンド接続部の近傍に設けられ、前記スタンド接続部の位置が前記電子機器の接続部の位置に対応しない位置に在るとき前記スタンド接続部と前記電子機器の接続部との接続を禁止する接続禁止部材を有する、ことを特徴とする請求項３又は４記載のスタンド装置。
【請求項６】
前記収納部は、前記電子機器を載置する載置面と、該載置面の対向する２方の縁部から立設され前記電子機器の２方の側面を保護し位置決めする側壁とを有し、
前記スタンド本体は、前記収納部の後方の側壁を形成する平面部を有し、
前記回動部は、円筒形状であり、該円筒形状の端面を前記回動面とし、該回動面が前記スタンド本体の前記平面部とほぼ一致する面を形成すると共に前記電子機器が前記収納部に収納されたとき前記電子機器の接続部に対向するよう配置され、前記円筒形状の周面を操作部としてその一部を前記スタンド本体の上部に露出するよう配置される、
ことを特徴とする請求項２、３、４又は５記載のスタンド装置。
【請求項７】
前記収納部と、前記スタンド本体とは、相互に着脱自在である、ことを特徴とする請求項６記載のスタンド装置。
【請求項８】
前記回動部は、前記スタンド接続部により前記収納部に収納された前記電子機器に対し該電子機器の接続部を介して給電する、ことを特徴とする請求項３記載のスタンド装置。
【請求項９】
カメラを収納し該カメラと電気的に接続されるスタンド装置であって、
前記カメラを異なる２つ以上の向きで収納する収納部と、
前記カメラの接続部と電気的に接続されるスタンド接続部と、
前記収納部に前記カメラが収納される向きに応じて前記接続部の位置を変位させる変位手段と、
を備えたことを特徴とするスタンド装置。
【請求項１０】
カメラと、該カメラを収納し該カメラと電気的に接続されるスタンド装置とから構成されるカメラシステムであって、
前記カメラは、その１側面に前記スタンド装置と電気的に接続される接続部を有し、
前記スタンド装置は、前記カメラを表裏いずれの向きでも収納する収納部と、前記カメラの接続部と電気的に接続するスタンド接続部と、前記カメラの収納する向きに応じて前記スタンド接続部の位置を変位させる変位手段とを有する、
ことを特徴とするカメラシステム。
【請求項１１】
前記カメラの接続部は、前記カメラの高さ方向の位置が、前記カメラの高さ方向の中心になるように配置されたことを特徴とする請求項１０記載のカメラシステム。
【請求項１２】
前記カメラは、撮影画像を表示する表示装置をカメラ前面位置とカメラ背面位置とに移動させる移動手段を有し、前記スタンド装置の前記収納部に収納されるに際し、表向きの収納では前記表示装置の表示面とカメラ前面とが対向する状態で収納され、裏向きの収納では前記表示装置はカメラ背面位置に移動し且つ表示面を外部に露出した状態で収納される、ことを特徴とする請求項１１記載のカメラシステム。
【請求項１３】
同一スタンド装置に表裏いずれの向きで収納されても前記スタンド装置の同一接続部に電気的に接続される接続部を有する、ことを特徴とするカメラ。
【発明の詳細な説明】
【技術分野】
【０００１】
本発明は、スタンド装置及びそれを用いる電子機器に係わり、更に詳しくは電子機器を複数の向きで装着するスタンド装置、及び電子機器とこの電子機器を複数の向きで装着するスタンド装置とからなる電子機器システムに関する。
【背景技術】
【０００２】
従来、電子機器には、附属または別売のスタンド装置が用いられる場合が多い。例えばカメラにもスタンド装置がある。このようなスタンド装置は、カメラが装着されると、装着された状態でカメラに装填されている電池をＡＣ電源で充電するようになっていた。
ところで、カメラの外観形状はカメラの種類によって異なり決して一律ではないので、スタンド装置もカメラの種類に応じて専用のものが用意される。また、最近のスタンド装置は、単にカメラの電池を充電する機能だけではなく、ＡＣ電源を駆動原として、カメラの表示装置に表示される撮影画像を観察するためのカメラ台としての機能や、カメラと外部機器とのデータ通信のための接続機能も備えられるようになっている。
【０００３】
単に充電する場合はスタンド装置に装着されるカメラの向きは、いずれの向きでも構わないが、上記のように多用途のスタンド装置である場合は、使用する機能によって、装着されるカメラの向きを変えることができるのが望ましい。
例えば、画像表示時には表示面が正面を向くようにスタンド装置に装着されることが必要であり、撮影時にはレンズ面が正面を向くようにスタンド装置に装着されることが必要である。
【０００４】
そのためには、スタンド装置の収納部をカメラがいずれの向きでも装着できるような形状にしなければならないだけでなく、スタンド装置のカメラとのコネクタをカメラコネクタのいずれの向きにも対応できるように構成されていることが必要になる。
特にスタンド装置に装着されるカメラの向きが逆になると、スタンド装置のコネクタとカメラコネクタとの対応関係も逆になるので、いずれにも対応するのは通常の構成では容易には出来ない。
【０００５】
そこで、例えば、カメラとスタンド装置を非接触形式で充電や通信を行うようにすることが提案されている。（例えば、特許文献１参照）。
また、例えば、ピン配置を二方に対称形に配置する例も提案されている。（例えば、特許文献２参照）。
【０００６】
また、表示装置の位置を非撮影時にはカメラ前面を覆う位置にあってレンズを保護し、カメラ使用時にはカメラ前面からカメラ上方の立設位置に回動させ、カメラ前面のレンズ面を開放し表示面を撮影者側に向けるようにしたカメラが提案されている。（例えば、特許文献３参照）。
【特許文献１】特開２００３−０８７６２０号公報
【特許文献２】特開２００３−１９８９１０号公報
【特許文献３】特開平１１−２５８６５７号公報
【発明の開示】
【発明が解決しようとする課題】
【０００７】
ところで、収納された電子機器例えばカメラに対して充電に加えてカメラ等で画像表示や通信等の処理もできるような多機能のスタンド装置で、収納状態で上記の処理を実行するカメラの機能に適した向きでカメラを収納できるようにするスタンド装置を構成する上では、異なる複数の姿勢でのカメラとスタンド装置のコネクタの接続を如何に簡単確実に実現するかが課題となる。
【０００８】
特許文献１では、電磁方式の非接触方式を採用しているが、この構成は、スタンド装置側の構成が大型化するだけでなく、電磁部の構成と制御が複雑になる点で不満が残る。
また、特許文献２では、コネクタのピン配置を左右対称に配置しているが、この構成はコネクタ部材とその配線が通常の２倍になるものであり、製造コストの上昇を招くという点で難がある。
【０００９】
また、特許文献３は、表示装置が上下に回動するのでスタンド装置に装着した状態でも画像表示ができそうであるが、カメラの向きを変えたときのスタンド装置との接続方法についての記載が無い。
本発明の課題は、上記従来の実情に鑑み、通常の機械的な接続方式のコネクタを使用して、例えばデジタルカメラ、カメラ付き携帯電話、カメラ付きＰＤＡ等の電子機器を、その収納姿勢にあわせて容易に接続できるようなスタンド装置を提供することである。
【課題を解決するための手段】
【００１０】
先ず、第１の発明のスタンド装置は、電子機器を収納し該電子機器と電気的に接続されるスタンド装置であって、上記電子機器を異なる２つ以上の向きで収納する収納部と、上記電子機器の接続部と電気的に接続されるスタンド接続部を備えたスタンド本体と、上記収納部に上記電子機器が収納される向きに応じて上記接続部の位置を変位させる変位手段と、を備えて構成される。
【００１１】
上記収納部は、例えば上記電子機器を該電子機器の表裏いずれの向きでも収納するように構成される。
このスタンド装置において、例えば、上記変位手段は、上記スタンド本体に設けられ、上記スタンド接続部の位置を変位させるための回動部を有し、上記スタンド接続部は、上記回動部の回動面の回動中心から半径方向にずれた位置に設けられ、上記収納部に収納された向きに応じて上記収納部内での位置が異なる上記電子機器の接続部に対応して上記回動部の回動により２つの位置に置き換わるように構成される。この場合、上記スタンド接続部は、例えば上記回動部の略１８０°の回動によって上記２つの位置を一方の位置から他方の位置に変位するように構成するのが好ましい。
【００１２】
また、このスタンド装置においては、例えば上記回動面において上記スタンド接続部の近傍に設けられ、上記スタンド接続部の位置が上記電子機器の接続部の位置に対応しない位置に在るとき上記スタンド接続部と上記電子機器の接続部との接続を禁止する接続禁止部材を有して構成される。
【００１３】
また、このスタンド装置においては、例えば、上記収納部は、上記電子機器を載置する載置面と、該載置面の対向する２方の縁部から立設され上記電子機器の２方の側面を保護し位置決めする側壁とを有し、上記スタンド本体は、上記収納部の後方の側壁を形成する平面部を有し、上記回動部は、円筒形状であり、該円筒形状の端面を上記回動面とし、該回動面が上記スタンド本体の上記平面部とほぼ一致する面を形成すると共に上記電子機器が上記収納部に収納されたとき上記電子機器の接続部に対向するよう配置され、上記円筒形状の周面を操作部としてその一部を上記スタンド本体の上部に露出するように配置されて構成される。そして、例えば上記収納部と、上記スタンド本体とは、相互に着脱自在であるように構成されることが好ましい。
【００１４】
上記回動部は、例えば上記スタンド接続部により上記収納部に収納された上記電子機器に対し該電子機器の接続部を介して給電するように構成される。
次に、第２の発明のスタンド装置は、カメラを収納し該カメラと電気的に接続されるスタンド装置であって、上記カメラを異なる２つ以上の向きで収納する収納部と、上記カメラの接続部と電気的に接続されるスタンド接続部と、上記収納部に上記カメラが収納される向きに応じて上記接続部の位置を変位させる変位手段と、を備えて構成される。
【００１５】
また、第３の発明のカメラシステムは、カメラと、該カメラを収納し該カメラと電気的に接続されるスタンド装置とから構成されるカメラシステムであって、上記カメラは、その１側面に上記スタンド装置と電気的に接続される接続部を有し、上記スタンド装置は、上記カメラを表裏いずれの向きでも収納する収納部と、上記カメラの接続部と電気的に接続するスタンド接続部と、上記カメラの収納する向きに応じて上記スタンド接続部の位置を変位させる変位手段とを有して構成される。
【００１６】
このカメラシステムにおいて、例えば上記カメラの接続部は、上記カメラの高さ方向の位置が、上記カメラの高さ方向の中心になるように配置されて構成される。また、例えば上記カメラは、撮影画像を表示する表示装置をカメラ前面位置とカメラ背面位置とに移動させる移動手段を有し、上記スタンド装置の上記収納部に収納されるに際し、表向きの収納では上記表示装置の表示面とカメラ前面とが対向する状態で収納され、裏向きの収納では上記表示装置はカメラ背面位置に移動し且つ表示面を外部に露出した状態で収納されるように構成される。
【００１７】
そして、第４の発明のカメラは、同一スタンド装置に表裏いずれの向きで収納されても上記スタンド装置の同一接続部に電気的に接続される接続部を有して構成される。
【発明の効果】
【００１８】
本発明においては、スタンド装置に収容される電子機器の向きが変わることに応じてスタンド装置の接続部の位置を変位させるので特別なコネクタが不要であり構成が簡単である。
また、スタンド接続部を変位させる部材が操作部材も兼ねているので部品数の削減に有効である。
【００１９】
また、スタンド装置の収納部の位置決め部分が着脱自在であるので外形形状の異なるカメラに対して一部を交換することで対応できるので便利である。
また、スタンド装置に収容時の電子機器の表裏を入れ替えた時の接続部の幅方向（カメラでは撮影状態のときの高さ方向）の位置が一定なので、スタンド接続部の変位が高さ方向（カメラでは撮影状態のときの奥行き方向）の変位だけでよいので操作が容易である。
【発明を実施するための最良の形態】
【００２０】
以下、本発明の実施の形態を図面を参照しながら説明する。
【実施例１】
【００２１】
図１(a) は、実施例１としてのカメラの正面図であり、同図(b) は、その接続部が設けられている方の側面図、同図(c) は上面図である。尚、同図(a),(b),(c) は、カメラの表示装置が閉成位置に畳まれているときのカメラの全体図である。また、同図(a),(b),(c) に示すカメラは、電子機器の一例としてデジタルカメラを取り上げて示している。また、以下の説明では、同図(a) に示すＸ方向をカメラの幅方向、Ｙ方向をカメラの厚さ方向、Ｚ方向をカメラの高さ方向として説明する。
【００２２】
同図(a),(b),(c) に示すように、カメラ１は、カメラ本体２の正面の図の左側ほぼ１／３（幅方向の寸法で）に把持部３が形成され、把持部３の上部にはセルフタイマ用報知窓４が設けられている。またカメラ本体２の右側ほぼ２／３を、表示装置５がその背面をカメラ正面方向に見せて覆っており、その表示装置５の上部にはカメラの種々の状態を点灯又は点滅報知するための報知光透過窓６が設けられ、表示装置５の下部にダブルヒンジ７が取り付けられている。また、同図(c) に示すように、カメラ本体２の表示装置５に対向する背面には、本体側端部側に段差部２−１が形成されている。
【００２３】
カメラ１の上面には、セルフタイマ用報知窓４の上方に当たる位置に、ズームレバー８とシャッタボタン９が配置され、その右方にリモコン用受光部１１が配設されている。同図(b) に示すように、カメラ１にはカメラ接続部１２が設けられている。このカメラ接続部１２のカメラ１の高さ方向における位置は、カメラ１の高さ方向の中心（１／２ｈ）に位置するように配置されている。これにより、カメラ１の天地を逆にしても、カメラ接続部１２の高さ位置は変わることがない。
【００２４】
図２(a),(b),(c) は、カメラの表示装置が下位置に回動しているときのカメラの全体図であり、同図(a) は正面図、同図(b) は接続部が設けられている方の側面図、同図(c) は上面図である。
図２(a) に示すように、表示装置５がダブルヒンジ７を支点にして下方位置に回動すると、カメラ本体２の開成された前面上部左側（カメラ全体としてはほぼ中央）に撮影レンズ窓１３、上部右端にストロボ窓１４、その下にマイク１５が、それぞれ現われる。また、表示装置５がその表示面５−１を前面に向けて配置される。表示装置５は液晶表示装置から成り、表示面５−１は液晶表示面である。
【００２５】
表示装置５の表示面５−１の右下方には電源ボタン１６が設けられている。尚、報知光透過窓６は、図１(a) のように表示装置５が畳まれているときでも図２(a) のように開かれているときでも報知光を外部に放散する。すなわち、表示装置５の表裏両面方向に報知光を放散する。
【００２６】
尚、この図２(a),(b),(c) に示す表示装置５の開成位置でのカメラ１の使用方法は、カメラ１の使用者が自分で自分の居る方向を撮影するような場合に、表示装置５の表示面５−１をモニタとして見ながら用いられる方法である。
図３(a) は、上記の表示装置５を下位置から更にカメラ１の裏側に回り込むように回動させて表示装置５の背面をカメラ本体２の裏面に当接させた状態を示す図であり、同図(b) はその使用状態を示す図である。尚、同図(a),(b) は、このカメラ１の本来の使用方法を示している。また、図３(a),(b) には図１(a),(b),(c) 及び図２(a),(b),(c) と同一の構成部分には図１(a),(b),(c) 及び図２(a),(b),(c) と同一の番号を付与して示している。
【００２７】
図３(a) に示すように、カメラ１の使用に当たって表示装置５をカメラ１の裏側に回り込ませてカメラ１の背面のほぼ２／３を覆い隠すように表示面５−１をカメラ１の背面に配置したとき、カメラ１の背面の残る１／３の面に、モードダイヤル１７、十字ボタン１８、その他の操作ボタン１９（１９−１、１９−２、１９−３）が配設されており、表示装置５の表示面５−１に表示される表示画面を見ながら、種々の操作を行うことができるようになっている。
【００２８】
そして、撮影時には、図３(b) に示すように、把持部３を手に持って、表示面５−１に映し出される映像を確認しながらシャッタボタン９を押して撮影を行うことが出来る。また、同図(b) に示すように表示装置５をカメラ１の裏側にまで回り込ませると、図１に示す携帯時の配置から裏返ったダブルヒンジ７の裏面に形成されている三脚用ネジ穴２１が下方に向けて外部に露出するようになっている。これにより、図３(a),(b) に示す状態で、三脚を用いて撮影を行うこともできる。
【実施例２】
【００２９】
図４(a) は、実施例２としてのスタンド装置の上面図であり、同図(b),(c) は正面図、同図(d) は背面図、同図(e) は側面図である。同図(a) 〜(e) に示すように、スタンド装置２２は、スタンド本体２３と収納部２４とから成る。
収納部２４は、カメラ１を載置する載置面２５と、この載置面２５の対向する２方の縁部から立設された側壁２６とで形成されている。側壁２６は載置面２５に載置されるカメラ１の高さ方向の２方の側面を保護し且つ位置決めする。
【００３０】
スタンド本体２３は、上記収納部２４の後方の側壁を形成する平面部２３−１を有し、この平面部２３−１とほぼ同一面上に回動面２７−１を形成されている円筒形状の回動部２７を平面部２３−１の中央に備えている。
回動部２７は、円筒形状の端面を回動面２７−１とし、この回動面２７−１が、カメラ１が収納部２４に収納されたときカメラ接続部１２に対向するように、スタンド本体２３に配置されている。また、回動部２７は、円筒形状の周面を操作部としてその一部をスタンド本体２３の上部に露出するように配置されている。
【００３１】
そして、この回動部２７の回動面２７−１には、カメラ１のカメラ接続部１２と電気的に接続するためのスタンド接続部２８が突設されている。このスタンド接続部２８は、回動部２７の回動面２７−１の回動中心から半径方向にややずれた位置に設けられている。
これにより、収納部２４に収納されたカメラ１の表向き又は裏返しの向きに応じて収納部２４内での位置が異なるカメラ１のカメラ接続部１２に対応して、使用者の操作による回動部２７の同図(d) の両方向矢印ａで示す１８０°方向の回動により、同図(b) 又は同図(c) に示すように２つの位置に置き換わる。すなわち、同図(b) に示す位置又は同図(c) に示す位置の２つの位置を一方の位置から他方の位置に変位する。
【００３２】
また、回動部２７の回動面２７−１には、スタンド接続部２８の近傍に板状の接続禁止部材２９が設けられている。接続禁止部材２９は、スタンド接続部２８よりも突出するように設けられている。これにより、詳しくは後述するように、スタンド接続部２８の位置がカメラ接続部１２の位置に対応しない位置に在るとき、スタンド接続部２８とカメラ接続部１２との接続を禁止するようになっている。
【００３３】
また、スタンド本体２３の背面には中央部に広く周囲より一段へこんだ凹部２３−２が形成されており、この凹部２３−２に、カメラと外部間で信号を通信するためのＵＳＢコネクタ３１とＤＣ電源コネクタ３２が配設されている。また、凹部２３−２の両側の凸面のうち同図(d) では下方にくる凸面にはビデオアウト端子３３が配設されている。
【００３４】
このスタンド本体２３の背面の凹部２３−２の両側の凸面には両側から収納部２４の側壁２６の屈曲した側壁延長部２６−１が回り込むように係合しており、ビデオアウト端子３３が配設されている凸面に係合する側壁延長部２６−１にはビデオアウト端子用開口２６−１−１が形成されている。
【００３５】
図５(a) は、上記の収納部２４のみを単体で示す斜視図であり、同図(b) は、その収納部２４とスタンド本体２３が着脱自在に合体した状態を示す斜視図である。同図(a),(b) には、図４(a) 〜(e) に示した構成と同一の構成部分には図４(a) 〜(e) と同一の番号を付与して示している。図５(a),(b) に示すように、本例のスタンド装置２２は、収納部２４とスタンド本体２３とが相互に着脱自在である。
【００３６】
これにより、スタンド装置２２にカメラ１とは外形形状の異なる種類のカメラを装着するときは、収納部２４のみを交換して容易に対処することができる。
【実施例３】
【００３７】
図６(a) 〜(d) は、実施例３としてのスタンド装置２２にカメラ１を装着する方法が２通りあることを説明する図である。尚、同図(a) 〜(d) には、スタンド装置２２背面の図４(d) に示したＤＣ電源コネクタ３２に接続されているＤＣプラグ及びＤＣ電源線や、必要に応じてＵＳＢコネクタ３１に接続されるＵＳＢオス型コネクタとその延長コードなどの図示を省略している。
【００３８】
図７(a),(b) は、スタンド装置２２に装着されたカメラ１に対する接続禁止部材２９の位置を示したものである。この図７(a),(b) は、図６(b),(d) において、接続部を中心としたカメラ幅方向の断面を、図(b),(d) の手前方向から見た図である。
図６(a) は、図３(a),(b) に示した状態のカメラ１を表示装置５の表示面５−１を上に向けて寝かせた状態を示しており、図６(b) はスタンド装置２２の回動部２７を回動させて、スタンド接続部２８と接続禁止部材２９との位置関係を図４(b) に示す位置に変位させた状態を示している。
【００３９】
この状態で、スタンド装置２２の収納部２４に対し、カメラ１を図６の矢印ｂで示すように移動させて、図６(b) に破線で示すようにカメラ１をスタンド装置２２に装着すると、図７(a) のように接続禁止部材２９の先端が、カメラ本体２の段差部２−１に入り込むと共に、スタンド接続部２８がカメラ接続部１２に連結される。
【００４０】
このようにカメラ１を裏向きにスタンド装置２２に装着すると、ＤＣ電源コネクタ３２を介してＤＣ電源から充電を受けている最中でも、表示装置５の表示面５−１の表示画面を見ながら、モードダイヤル１７や十字ボタン１８あるいはその他の操作ボタン１９（図３(a) 参照）を操作して、種々の処理を行うことができる。
【００４１】
また、図６(c) は、図１(a),(b),(c) に示した状態のカメラ１を正面を上に向けて寝かせた状態を示している。他方、図６(d) に示すスタンド装置２２は、その回動部２７を回動させて、スタンド接続部２８と接続禁止部材２９との位置関係を図４(c) に示す位置に変位させた状態を示している。
【００４２】
この状態で、スタンド装置２２の収納部２４に対し、カメラ１を図６の矢印ｃで示すように移動させて、図６(d) に破線で示すようにカメラ１をスタンド装置２２に装着すると、図７(b) のように接続禁止部材２９の先端が、この場合もカメラ本体２の段差部２−１に入り込むと共に、スタンド接続部２８がカメラ接続部１２に連結される。
【００４３】
このように、スタンド装置２２の収納部２４に対するカメラ１の装着姿勢を表裏いずれを上に向けても、つまり図１(b) においてカメラ１の天地を逆にしても、カメラ接続部１２のカメラ１に対する高さ位置は変わることがないから、カメラ接続部１２と、スタンド装置２２の収納部２４の背部壁面を形成する平面部２３−１の中央に配置されている回動部２７の回動面２７−１との対応関係に異動はない。
【００４４】
したがって、回動部２７を１８０°回動させて、その回動面２７−１に配置されているスタンド接続部２８を、図４(b) に示す位置と図４(c) に示す位置とのいずれかに変位させるだけで、装着姿勢が表裏いずれかに変化したカメラ１のカメラ接続部１２に容易に対応することができる。
【００４５】
そして、もし、カメラ１の装着姿勢とスタンド装置２２の回動部２７のスタンド接続部２８との関係が、図６(a) と同図(d) の状態であると、カメラ１をスタンド装置２２に装着しようとしても、接続禁止部材２９が、図７(a) でハッチングで示した位置２９−ｂにくるので、スタンド接続部２８がカメラ接続部１２に連結される前に接続禁止部材２９がカメラ本体部２の段差部２−１が形成されていない側面に衝突するため、それ以上カメラ１をスタンド装置２２に押し込むことができない。これにより、スタンド接続部２８とカメラ接続部１２との誤った接続が禁止される。
【００４６】
同様に、もし、カメラ１の装着姿勢とスタンド装置２２の回動部２７のスタンド接続部２８との関係が、図６(c) と同図(b) の状態であると、カメラ１をスタンド装置２２に装着しようとしても、接続禁止部材２９が、図７(b) でハッチングで示した位置２９−ｃにくるので、この場合もスタンド接続部２８がカメラ接続部１２に連結される前に接続禁止部材２９がカメラ本体部２の段差部２−１が形成されていない側面に衝突するため、それ以上カメラ１をスタンド装置２２に押し込むことができない。したがって、この場合もスタンド接続部２８とカメラ接続部１２との誤った接続が禁止される。
【００４７】
このようにカメラ１をスタンド装置２２に表向きに装着すると、ＤＣ電源コネクタ３２を介してＤＣ電源から充電を受けている最中に、誤って他の物がカメラ１の上に落下したり当接したりしても表示装置５の表示面５−１を損傷させる虞がないので、充電状態のまま安心して外出などすることができる。
【００４８】
図８は、カメラ１がスタンド装置２２に正しく装着されたときのカメラシステム全体のブロック図である。同図に示すように、先ず、カメラ１は、本体操作部３４と、この本体操作部３４に接続するＣ−ＣＰＵ（カメラＣＰＵ(central-processing-unit））３５と、このＣ−ＣＰＵ３５の信号入出力ポートにバス３６を介して接続された撮像部３７、画像表示部３８、メモリカード３９、画像処理部４１、及びＩＦ（インターフェース）部４２を備えている。
【００４９】
Ｃ−ＣＰＵ３５は、不図示のプログラムメモリを内蔵し、そのプログラムメモリに格納されているプログラムにしたがって、本体操作部３４を介してカメラ使用者から入力される指示命令を受けてカメラ１全体を制御する。
上記の画像表示部３８、メモリカード３９、及び画像処理部４１は、バス３６を介して相互にデータの入力又は出力が可能なように構成されている。また、撮像部３７には撮像素子４３が接続され、画像処理部４１には画像信号をＮＴＳＣ等のテレビ信号に変換するビデオ回路部４４が接続されている。
【００５０】
上記の撮像素子４３にはレンズ４５により撮影された映像が結像する。撮像素子４３は、撮像部３７により駆動制御され、上記結像の各画素ごとの光量を電気信号に変換して画像処理部４１に出力する。画像処理部４１は、撮像素子４３から入力する電気信号を増幅し、アナログ／デジタル変換を行い、その増幅とデジタル変換を行った画像データをメモリカード３９に出力する。
【００５１】
画像表示部３８は、表示装置５の表示を駆動制御し、液晶表示装置に撮影画像や操作メニューなどを表示する。
上記のＩＦ部４２にはカメラ接続部１２、スタンド装置２２のスタンド接続部２８、及びスタンド本体２３のＵＳＢコネクタ３１を介して、外部の例えばＰＣ（パーソナルコンピュータ）４６等が接続される。これにより、カメラ１のメモリカード３９に記憶されている撮影済み画像データをＰＣ４６に送信してＰＣ４６に記憶させ、またＰＣ４６の表示装置で画像を表示させることができる。また、ＰＣ４６に既に記憶されている撮影画像を呼び出して確認することもできる。
【００５２】
また、ビデオ回路部４４には、カメラ接続部１２、スタンド装置２２のスタンド接続部２８、及びスタンド本体２３のビデオアウト端子３３を介して、例えばＴＶ（テレビ）４７が接続される。これにより、カメラ１で撮影した画像をＴＶ４７の大型画面に表示させて見ることができる。
【００５３】
本体操作部３４は、図１乃至図３に示したように、各種の入力ボタンやスイッチを備え、これらの入力ボタンやスイッチを介して外部（カメラ使用者）から入力されるイベント情報を制御部に通知する回路である。充電部４８の出力部には内蔵の電池４９が接続され、充電部４８の入力部には、カメラ接続部１２、スタンド装置２２のスタンド接続部２８、及びスタンド本体２３のＤＣ電源コネクタ３２を介してＡＣ／ＤＣコンバータ５１の出力側コネクタが接続される。ＡＣ／ＤＣコンバータ５１の入力側コネクタは例えば宅内商用電源コネクタに接続される。これにより、電池４９が充電される。
【００５４】
尚、スタンド装置２２の本体部２３には、上記のスタンド接続部２８のほかに、更に第２のスタンド接続部５２が設けられている。この第２のスタンド接続部５２は、外部配線を介さずに他の電子機器のコネクタに直接電気的に接続するためのものであるが、ここでは説明を省略する。
【００５５】
また、上述した実施例では、いずれも電子機器としてカメラを取り上げて説明しているが、これに限ることなく、電子機器としては、例えばカメラ付き携帯電話あるいはカメラ付き電子手帳などのカメラ付き携帯型の電子機器の全てに適用できることは言うまでも無い。
【図面の簡単な説明】
【００５６】
【図１】(a) は実施例１としてのカメラの正面図、(b) はその接続部が設けられている方の側面図、(c) は上面図である。
【図２】カメラの表示装置が下位置に回動しているときのカメラの全体図であり、(a) は正面図、(b) は接続部が設けられている方の側面図、(c) は上面図である。
【図３】(a) は表示装置を下位置からカメラの裏側に回り込むように回動させて表示装置の背面をカメラ本体の裏面に当接させた状態を示す図、(b) はその使用状態を示す図である。
【図４】(a) は実施例２としてのカメラスタンド装置の上面図、(b),(c) は正面図、(d) は背面図、(e) は側面図である。
【図５】(a) はカメラスタンド装置の収納部のみを単体で示す斜視図、(b) は収納部とスタンド本体が着脱自在に合体した状態を示す斜視図である。
【図６】(a) 〜(d) は実施例３としてのカメラスタンド装置にカメラを装着する方法が２通りあることを説明する図である。
【図７】(a),(b) はスタンド装置に装着されたカメラに対する接続禁止部材の位置を示す図である。
【図８】カメラがカメラスタンド装置に正しく装着されたときのカメラシステムのブロック図である。
【符号の説明】
【００５７】
１      カメラ
２      カメラ本体
２−１  段差部
３      把持部
４      セルフタイマ用報知窓
５      表示装置（液晶表示装置）
５−１  表示面
６      報知光透過窓
７      ダブルヒンジ
８      ズームレバー
９      シャッタボタン
１１    リモコン用受光部
１２    接続部
１３    撮影レンズ窓
１４    ストロボ窓
１５    マイク
１６    電源ボタン
１７    モードダイヤル
１８    十字ボタン
１９（１９−１、１９−２、１９−３）  他の操作ボタン
２１    三脚用ネジ穴
２２    スタンド装置
２３    スタンド本体
２３−１  平面部
２３−２  凹部
２４    収納部
２５    載置面
２６    側壁
２６−１  側壁延長部
２６−１−１  ビデオアウト端子用開口
２７    回動部
２７−１  回動面
２８    スタンド接続部
２９    接続禁止部材
２９−ｂ、２９−ｃ  接続禁止部材の禁止時仮想位置
３１    ＵＳＢコネクタ
３２    ＤＣ電源コネクタ
３３    ビデオアウト端子
３４    本体操作部
３５    Ｃ−ＣＰＵ（カメラＣＰＵ(central-processing-unit））
３６    バス
３７    撮像部
３８    画像表示部
３９    メモリカード
４１    画像処理部
４２    ＩＦ（インターフェース）部
４３    撮像素子
４４    ビデオ回路部
４５    レンズ
４６    ＰＣ（パーソナルコンピュータ）
４７    ＴＶ（テレビ）
４８    充電部
４９    電池
５１    ＡＣ／ＤＣコンバータ
５２    第２のスタンド接続部
【図１】
2005323260.tif 000003
【図２】
2005323260.tif 000004
【図３】
2005323260.tif 000005
【図４】
2005323260.tif 000006
【図５】
2005323260.tif 000007
【図６】
2005323260.tif 000008
【図７】
2005323260.tif 000009
【図８】
2005323260.tif 000010